(57)【要約】【課題】コストを抑制しつつ、カバーの片閉まりによる印字不良の発生を防止する。【解決手段】プリンタは、ハウジングの開口部を開放する開放状態と閉止する閉止状態とを切り替え可能なカバーと、カバーに設けられ、ローラ軸を有するプラテンローラと、ハウジングに揺動自在に設けられ、カバーの開放状態から閉止状態への移行を許容する第１位置と、ローラ軸と係合してカバーを閉止状態に維持する第２位置と、の間で揺動するロック部材と、を備え、ロック部材は、カバーを閉止状態にする際にローラ軸の一端側と当接してカバーを閉止状態にする押圧力をロック部材が第２位置から第１位置に向かって揺動する方向にロック部材に作用させる第１当接部と、カバーを閉止状態にする際にローラ軸の他端側と当接して押圧力をロック部材が第２位置から第１位置に向かって揺動しない方向にロック部材に作用させる第２当接部と、を有する。【選択図】図１
2018165028.tif 000002
【特許請求の範囲】
【請求項１】
ハウジングと、
前記ハウジングに回動自在に設けられ、前記ハウジングの開口部を開放する開放状態と閉止する閉止状態とを切り替え可能なカバーと、
前記カバーに設けられ、ローラ軸を有するプラテンローラと、
前記ハウジングに揺動自在に設けられ、前記カバーの前記開放状態から前記閉止状態への移行を許容する第１位置と、前記ローラ軸と係合して前記カバーを前記閉止状態に維持する第２位置と、の間で揺動するロック部材と、
を備え、
前記ロック部材は、
前記カバーを前記閉止状態にする際に前記ローラ軸の一端側と当接して前記カバーを前記閉止状態にする押圧力を前記ロック部材が前記第２位置から前記第１位置に向かって揺動する方向に前記ロック部材に作用させる第１当接部と、
前記カバーを前記閉止状態にする際に前記ローラ軸の他端側と当接して前記押圧力を前記ロック部材が前記第２位置から前記第１位置に向かって揺動しない方向に前記ロック部材に作用させる第２当接部と、
を有するプリンタ。
【請求項２】
請求項１に記載のプリンタであって、
前記第２当接部側に、前記ローラ軸の前記他端側が前記ロック部材に係合されたことを検出する検出センサを備える、
プリンタ。
【請求項３】
請求項１又は２に記載のプリンタであって、
前記カバーは樹脂で形成される、
プリンタ。
【発明の詳細な説明】
【技術分野】
【０００１】
本発明は、プリンタに関する。
【背景技術】
【０００２】
特許文献１には、ハウジングの開口部を開放する開放状態と閉止する閉止状態とを切り替え可能なカバーと、カバーに設けられたプラテンローラのローラ軸と係合してカバーを閉止状態に維持するロック部材と、を備えたプリンタが開示されている。
【０００３】
上記のプリンタでは、ロック部材の両端部に形成された係合部にローラ軸の両端部がそれぞれ係合されると、カバーが閉止状態に維持されるとともにプラテンローラとロック部材に取り付けられたサーマルヘッドとが対向する。
【０００４】
カバーを開放状態から閉止状態にするためにカバーをロック部材側に向けて押圧すると、まず、ロック部材におけるカバー側に設けられた傾斜面にローラ軸が当接し、カバーの閉止状態への移行を許容する位置に向かってロック部材が揺動する方向に押圧力がロック部材に作用する。これにより、ロック部材がカバーの閉止状態への移行を許容する位置に移動し、カバーを閉止状態にできる。
【先行技術文献】
【特許文献】
【０００５】
【特許文献１】特開２０１４−１８８７１０号公報
【発明の概要】
【発明が解決しようとする課題】
【０００６】
上記のプリンタでは、ローラ軸の一方の端部のみがロック部材に係合された片閉まりが発生することが考えられる。この場合にそのまま印字を行うと、印字不良が発生するおそれがある。
【０００７】
これに対して、ロック部材の２つの係合部近傍にそれぞれ検出センサを設けることでカバーの片閉まりを検出することが考えられる。しかしながら、この場合は、プリンタのコストが増大するという問題がある。
【０００８】
本発明は、コストを抑制しつつ、カバーの片閉まりによる印字不良の発生を防止することを目的とする。
【課題を解決するための手段】
【０００９】
本発明のある態様によれば、ハウジングと、前記ハウジングに回動自在に設けられ、前記ハウジングの開口部を開放する開放状態と閉止する閉止状態とを切り替え可能なカバーと、前記カバーに設けられ、ローラ軸を有するプラテンローラと、前記ハウジングに揺動自在に設けられ、前記カバーの前記開放状態から前記閉止状態への移行を許容する第１位置と、前記ローラ軸と係合して前記カバーを前記閉止状態に維持する第２位置と、の間で揺動するロック部材と、を備え、前記ロック部材は、前記カバーを前記閉止状態にする際に前記ローラ軸の一端側と当接して前記カバーを前記閉止状態にする押圧力を前記ロック部材が前記第２位置から前記第１位置に向かって揺動する方向に前記ロック部材に作用させる第１当接部と、前記カバーを前記閉止状態にする際に前記ローラ軸の他端側と当接して前記押圧力を前記ロック部材が前記第２位置から前記第１位置に向かって揺動しない方向に前記ロック部材に作用させる第２当接部と、を有するプリンタが提供される。
【発明の効果】
【００１０】
これによれば、ローラ軸の一端側からロック部材に押圧力が作用するようにカバーを押圧しなければ、ロック部材が第１位置に移動しない。よって、ローラ軸の他端側のみがロック部材と係合した片閉まりの発生を防止できる。これにより、ロック部材の第２当接部側のみに検出センサを設けることで、コストを抑制しつつ、カバーの片閉まりによる印字不良の発生を防止できる。
【図面の簡単な説明】
【００１１】
【図１】図１は、本発明の実施形態に係るプリンタを右側面から見た概略図である。
【図２】図２は、本発明の実施形態に係るプリンタを左側面から見た概略図である。
【図３】図３は、ロック部材について説明するための図である。
【図４】図４は、ロック部材の第１当接部について説明するための図である。
【図５】図５は、ロック部材の第２当接部について説明するための図である。
【図６】図６は、ロック部材が第１位置に移動した状態を示す図である。
【発明を実施するための形態】
【００１２】
以下、添付図面を参照して本発明の実施形態に係るプリンタ１００について説明する。
【００１３】
プリンタ１００は、ユーザが携行して使用する所謂モバイルプリンタであって、感熱媒体である印字媒体を熱して印字を行う感熱方式のプリンタとして構成される。
【００１４】
本実施形態では、印字媒体は、帯状の台紙に複数のラベルが間隔を置いて連続して仮着されたラベル連続体Ｍである。なお、プリンタ１００は、印字媒体として台紙なしラベルを使用することもできる。
【００１５】
プリンタ１００は、図１、図２に示すように、ハウジング１０と、ハウジング１０の開口部を覆うカバー１１と、を備える。
【００１６】
ラベル連続体Ｍは、ロール状に巻き回された状態でハウジング１０に収容される。ハウジング１０の底面には、ラベル連続体Ｍの外周を支持するガイド部１０ａが形成される。
【００１７】
カバー１１は、一端側の端部が軸１２を介してハウジング１０に支持されている。カバー１１は、軸１２を支点として回動させることで、ハウジング１０の開口部を開放する開放状態（図１に二点鎖線で示す状態）と閉止する閉止状態（図１、図２に実線で示す状態）とを切り替えることができる。
【００１８】
プリンタ１００は、カバー１１を開放状態にすることで、ラベル連続体Ｍのセットや内部機構のメンテナンスを行うことができる。
【００１９】
カバー１１の他端側の端部とハウジング１０との間には、印字されたラベル連続体Ｍがプリンタ１００から排出される排出口１３が形成される。
【００２０】
また、カバー１１の他端側における内面側には、ローラ支持部材１４を介してプラテンローラ１５が取り付けられる。具体的には、ローラ支持部材１４は、プラテンローラ１５のローラ軸１６を回動自在に支持する。
【００２１】
ハウジング１０には、ラベル連続体Ｍに印字を行うための印字ユニット２０、プリンタ１００の動作を制御するコントローラ３０、プリンタ１００の各部に電力を供給するバッテリ４０等が収容される。
【００２２】
ハウジング１０の上面には、プリンタ１００を操作するための操作ユニット１７と、カバー１１を閉止状態から開放状態にするための開放ボタン１８と、が設けられる。操作ユニット１７は、各種操作ボタン及びディスプレイで構成される。開放ボタン１８については後述する。
【００２３】
印字ユニット２０は、ハウジング１０に固定される本体部２１と、軸２２を介して本体部２１に揺動自在に支持されるロック部材２３と、ロック部材２３に取り付けられるサーマルヘッド２４と、を有する。
【００２４】
ロック部材２３は、図１、図２に示すように、プラテンローラ１５のローラ軸１６と係合してカバー１１を閉止状態に維持する第２位置と、図６に示すように、カバー１１の開放状態から閉止状態への移行を許容する第１位置と、の間で揺動する。
【００２５】
以下、ロック部材２３について詳しく説明する。
【００２６】
本実施形態のロック部材２３は、プレス成形品であって、図３に示すように、ベース部２３ａと、ベース部２３ａの両端に形成された折り曲げ部２３ｂ、２３ｃと、ベース部２３ａの上部中央から折り曲げ部２３ｂ、２３ｃとは反対側に延伸する延伸部２３ｄと、を有する。ベース部２３ａには、サーマルヘッド２４が取り付けられる。なお、ロック部材２３は、プレス成形品に限らず、ある程度強度のある樹脂からなってもよい。
【００２７】
折り曲げ部２３ｂには、図１に示すように、ローラ軸１６の一端側１６ａと係合する係合部２３ｅと、軸２２が挿通される孔２３ｆと、が形成される。また、折り曲げ部２３ｂの上面側における先端には、図４に示すように、カバー１１を開放状態から閉止状態にする際にローラ軸１６の一端側１６ａが当接する第１当接部２３ｉが設けられる。
【００２８】
折り曲げ部２３ｃには、図２に示すように、ローラ軸１６の他端側１６ｂと係合する係合部２３ｇと、軸２２が挿通される孔２３ｈと、が形成される。また、折り曲げ部２３ｃの上面側における先端には、図５に示すように、カバー１１を開放状態から閉止状態にする際にローラ軸１６の他端側１６ｂが当接する第２当接部２３ｊが設けられる。
【００２９】
ロック部材２３は以上のように構成されており、プリンタ１００は、カバー１１を閉止状態にすると、つまり、プラテンローラ１５のローラ軸１６がロック部材２３の係合部２３ｅ、２３ｇに係合されると、図１、図２に示すように、プラテンローラ１５とロック部材２３に取り付けられたサーマルヘッド２４とが対向する。
【００３０】
なお、印字ユニット２０の本体部２１とロック部材２３との間には、ロック部材２３をプラテンローラ１５側に向けて付勢するスプリング２５が設けられる。これにより、ロック部材２３は、第２位置に向けて常に付勢される。また、カバー１１の閉止状態においては、サーマルヘッド２４がプラテンローラ１５に対して押圧される。
【００３１】
ラベル連続体Ｍは、対向するプラテンローラ１５とサーマルヘッド２４との間に挟持されるとともに、プラテンローラ１５を駆動モータ（図示せず）により回転駆動することで排出口１３に向けて搬送される。このとき、サーマルヘッド２４に設けられた発熱体（図示せず）が選択的に発熱することによって、ラベルの感熱発色層が発色させられて、文字、記号等が印字される。
【００３２】
ロック部材２３の延伸部２３ｄは、上述した開放ボタン１８の下面に近接するように形成されている。ユーザが開放ボタン１８を押下すると、延伸部２３ｄが開放ボタン１８により押し込まれる。これにより、ロック部材２３が揺動して第２位置から第１位置に移動する。
【００３３】
本実施形態では、カバー１１は、スプリング（図示せず）により、開放状態になる方向に常に付勢されている。よって、カバー１１が閉止状態の場合に、開放ボタン１８を押下してロック部材２３を第２位置から第１位置に移動させると、カバー１１が自動的に回動して開放状態になる。
【００３４】
また、図２に示すように、ロック部材２３の第２当接部２３ｊ側であって係合部２３ｇの近傍には、係合部２３ｇにローラ軸１６が係合されたことを検出する検出センサ２６が設けられる。検出センサ２６としては、例えば、近接センサ、光電センサ、リミットスイッチ等を用いることができる。
【００３５】
続いて、カバー１１を開放状態から閉止状態にする様子について、図４から図６を参照して説明する。
【００３６】
カバー１１を閉止状態にする際は、図４、図５に示すように、ユーザがカバー１１に押圧力（黒塗り矢印）を付与する。
【００３７】
ここで、カバー１１が開放状態の場合は、ロック部材２３は第２位置にある。よって、カバー１１を閉止状態にする際は、まず、図４に示すように、ロック部材２３の第１当接部２３ｉにローラ軸１６の一端側１６ａが当接するとともに、図５に示すように、ロック部材２３の第２当接部２３ｊにローラ軸１６の他端側１６ｂが当接する。
【００３８】
なお、本実施形態のカバー１１は樹脂で形成されており、カバー１１が撓むことで、ローラ軸１６の一端側１６ａが第１当接部２３ｉに当接するとともに他端側１６ｂが第２当接部２３ｊに当接する状態が実現される。
【００３９】
第１当接部２３ｉは、カバー１１の回動に伴ってローラ軸１６が移動する方向に対して傾斜した面として設けられており、図４に白抜き矢印で示すように、カバー１１を閉止状態にするための押圧力（黒塗り矢印）が、ロック部材２３が第１位置に向かって揺動する方向にロック部材２３に作用する。
【００４０】
一方、第２当接部２３ｊは、カバー１１の回動に伴ってローラ軸１６が移動する方向に対して略直交した面として設けられており、図５に白抜き矢印で示すように、カバー１１を閉止状態にするための押圧力（黒塗り矢印）が、ロック部材２３が第１位置に向かって揺動しない方向にロック部材２３に作用する。
【００４１】
つまり、プリンタ１００は、ロック部材２３の第１当接部２３ｉ側にカバー１１から押圧力を伝達してロック部材２３を第１位置に移動させることで、まず、ローラ軸１６の一端側１６ａが係合部２３ｅに係合され、次いで、カバー１１の撓みが復元されるのに伴ってローラ軸１６の他端側１６ｂが係合部２３ｇに係合されるようになっている。
【００４２】
言い換えると、ユーザがカバー１１を押圧する際に、主に第２当接部２３ｊ側に押圧力が伝達されるようにカバー１１を押圧すると、ロック部材２３が第１位置に移動しないので、カバー１１を閉止状態にすることができない。
【００４３】
このように、プリンタ１００は、ロック部材２３の第１当接部２３ｉ側に押圧力が作用するようにカバー１１を押圧しなければ、ロック部材２３を第１位置に移動させることができない。よって、ローラ軸１６の他端側１６ｂのみがロック部材２３と係合した片閉まりの発生を防止できる。
【００４４】
また、上述したように、ロック部材２３の係合部２３ｇの近傍には、係合部２３ｇにローラ軸１６の他端側１６ｂが係合されたことを検出する検出センサ２６が設けられる。よって、ローラ軸１６の一端側１６ａのみがロック部材２３と係合した片閉まりが発生した場合は、検出センサ２６によりカバー１１が閉止状態になっていないことを検出できる。これにより、カバー１１の片閉まりが発生した状態で印字が行われることを防止できる。
【００４５】
以上述べたように、本実施形態のプリンタ１００は、ハウジング１０と、ハウジング１０に回動自在に設けられ、ハウジング１０の開口部を開放する開放状態と閉止する閉止状態とを切り替え可能なカバー１１と、カバー１１に設けられ、ローラ軸１６を有するプラテンローラ１５と、ハウジング１０に揺動自在に設けられ、カバー１１の開放状態から閉止状態への移行を許容する第１位置と、ローラ軸１６と係合してカバー１１を閉止状態に維持する第２位置と、の間で揺動するロック部材２３と、を備え、ロック部材２３は、カバー１１を閉止状態にする際にローラ軸１６の一端側１６ａと当接してカバー１１を閉止状態にする押圧力をロック部材２３が第２位置から第１位置に向かって揺動する方向にロック部材２３に作用させる第１当接部２３ｉと、カバー１１を閉止状態にする際にローラ軸１６の他端側１６ｂと当接して押圧力をロック部材２３が第２位置から第１位置に向かって揺動しない方向にロック部材２３に作用させる第２当接部２３ｊと、を有する。
【００４６】
また、ロック部材２３の第２当接部２３ｊ側に、ローラ軸１６の他端側１６ｂがロック部材２３に係合されたことを検出する検出センサ２６を備える。
【００４７】
これによれば、ローラ軸１６の一端側１６ａからロック部材２３に押圧力が作用するようにカバー１１を押圧しなければ、ロック部材２３が第１位置に移動しない。よって、ローラ軸１６の他端側１６ｂのみがロック部材２３に係合された片閉まりの発生を防止できる。これにより、ロック部材２３の第２当接部２３ｊ側のみに検出センサ２６を設けることで、コストを抑制しつつ、カバー１１の片閉まりによる印字不良の発生を防止できる。
【００４８】
また、カバー１１は樹脂で形成される。
【００４９】
これにより、ローラ軸１６の一端側１６ａが第１当接部２３ｉに当接するとともに他端側１６ｂが第２当接部２３ｊに当接する状態を実現できる。
【００５０】
以上、本発明の実施形態について説明したが、上記実施形態は本発明の適用例の一つを示したものに過ぎず、本発明の技術的範囲を上記実施形態の具体的構成に限定する趣旨ではない。
【符号の説明】
【００５１】
１０    ハウジング
１０ａ  ガイド部
１１    カバー
１２    軸
１３    排出口
１４    ローラ支持部材
１５    プラテンローラ
１６    ローラ軸
１６ａ  一端側
１６ｂ  他端側
１７    操作ユニット
１８    開放ボタン
２０    印字ユニット
２１    本体部
２２    軸
２３    ロック部材
２３ａ  ベース部
２３ｂ  折り曲げ部
２３ｃ  折り曲げ部
２３ｄ  延伸部
２３ｅ  係合部
２３ｆ  孔
２３ｇ  係合部
２３ｈ  孔
２３ｉ  第１当接部
２３ｊ  第２当接部
２４    サーマルヘッド
２５    スプリング
２６    検出センサ
３０    コントローラ
４０    バッテリ
１００  プリンタ
【図１】
2018165028.tif 000003
【図２】
2018165028.tif 000004
【図３】
2018165028.tif 000005
【図４】
2018165028.tif 000006
【図５】
2018165028.tif 000007
【図６】
2018165028.tif 000008